(57)【要約】【課題】  環境の制約をあまり受けずに、ユーザに音をよく聞かせることができる。【解決手段】  音出力装置は、出力装置１２６と、通信装置１１４と、記憶装置１１８と、実行回路１２４とを含む。出力装置１２６は、音を出力する。通信装置１１４は、出力装置１２６とは異なる音源の音量および位置、ならびにユーザがいる位置を受信する。記憶装置１１８は、出力装置１２６および音源の位置と音量とを記憶する。実行回路１２４は、音が生じる位置からユーザがいる位置までの距離と音が生じる位置での音量とに対応するよう、音源および出力装置１２６についてレベルを判定し、通信装置１１４が受信した情報が表わす関係とレベルの関係とが対応するように、出力装置１２６が出力する音の音量を制御する。【選択図】        図４
2007074551.tif 000002
【特許請求の範囲】
【請求項１】
音を出力するための出力手段と、
前記出力手段とは異なる音源の音量を表わす情報、前記音源の位置を表わす情報、およびユーザがいる位置を表わす情報を受信するための受信手段と、
前記出力手段の位置と前記音量と前記音源の位置とを記憶するための記憶手段と、
音が生じる位置からユーザがいる位置までの距離と音が生じる位置での音量とに対応するよう、前記音源および出力手段について、前記ユーザがいる位置における音量の範囲であるレベルを判定するための判定手段と、
前記受信手段が受信した情報が表わす関係と、前記音源が出力する音のレベルに対する前記出力手段が出力する音のレベルの関係とが対応するように、前記出力手段が出力する音の音量を決定するための決定手段と、
前記決定手段が決定した音量で音を出力するように、前記出力手段を制御するための制御手段とを含む、音出力装置。
【請求項２】
前記受信手段は、前記音源の優先度を表わす情報の他に、前記音量を表わす情報、前記音源の位置を表わす情報、および前記ユーザがいる位置を表わす情報を受信するための手段を含み、
前記記憶手段は、前記音源の優先度と共に、前記出力手段の位置と前記音量と前記音源の位置とを記憶するための手段を含み、
前記決定手段は、前記優先度の高さが閾値を越えるか否かと、前記音源のレベルに対する前記出力手段のレベルの関係とが対応するように、前記出力手段が出力する音の音量を決定するための手段を含む、請求項１に記載の音出力装置。
【請求項３】
前記音量を決定するための手段は、前記優先度の高さが閾値を越える音源のレベルが、前記出力手段のレベル以上となるように、前記出力手段が出力する音の音量を決定するための手段を含む、請求項２に記載の音出力装置。
【請求項４】
前記決定手段は、前記出力手段の位置から前記ユーザがいる位置までの距離と、前記音源のレベルに対する前記出力手段のレベルの関係とが対応するように、前記出力手段が出力する音の音量を決定するための手段を含む、請求項１に記載の音出力装置。
【請求項５】
前記記憶手段は、同一の音源についての、前記受信手段が受信した情報が表わす音源の位置と記憶済みの情報が表わす音源の位置とが異なる場合、前記受信手段が受信した情報を記憶するための手段を含む、請求項１に記載の音出力装置。
【請求項６】
音を出力するための出力手段が音を出力する出力ステップと、
前記出力手段とは異なる音源の音量を表わす情報、前記音源の位置を表わす情報、およびユーザがいる位置を表わす情報を受信する受信ステップと、
前記出力手段の位置と前記音量と前記音源の位置とを記憶する記憶ステップと、
音が生じる位置からユーザがいる位置までの距離と音が生じる位置での音量とに対応するよう、前記音源および出力手段について、前記ユーザがいる位置における音量の範囲であるレベルを判定する判定ステップと、
前記受信ステップにて受信した情報が表わす関係と、前記音源が出力する音のレベルに対する前記出力手段が出力する音のレベルの関係とが対応するように、前記出力手段が出力する音の音量を決定する決定ステップと、
前記決定ステップにて決定した音量で音を出力するように、前記出力手段を制御する制御ステップとを含む音出力方法。
【請求項７】
音を出力するためのコンピュータの出力手段が音を出力する出力ステップと、
前記出力手段とは異なる音源の音量を表わす情報、前記音源の位置を表わす情報、およびユーザがいる位置を表わす情報を受信する受信ステップと、
前記出力手段の位置と前記音量と前記音源の位置とを記憶する記憶ステップと、
音が生じる位置からユーザがいる位置までの距離と音が生じる位置での音量とに対応するよう、前記音源および出力手段について、前記ユーザがいる位置における音量の範囲であるレベルを判定する判定ステップと、
前記受信ステップにて受信した情報が表わす関係と、前記音源が出力する音のレベルに対する前記出力手段が出力する音のレベルの関係とが対応するように、前記出力手段が出力する音の音量を決定する決定ステップと、
前記決定ステップにて決定した音量で音を出力するように、前記出力手段を制御する制御ステップとを含む各ステップをコンピュータに実行させるための音出力プログラム。
【請求項８】
音を出力するためのコンピュータの出力手段が音を出力する出力ステップと、
前記出力手段とは異なる音源の音量を表わす情報、前記音源の位置を表わす情報、およびユーザがいる位置を表わす情報を受信する受信ステップと、
前記出力手段の位置と前記音量と前記音源の位置とを記憶する記憶ステップと、
音が生じる位置からユーザがいる位置までの距離と音が生じる位置での音量とに対応するよう、前記音源および出力手段について、前記ユーザがいる位置における音量の範囲であるレベルを判定する判定ステップと、
前記受信ステップにて受信した情報が表わす関係と、前記音源が出力する音のレベルに対する前記出力手段が出力する音のレベルの関係とが対応するように、前記出力手段が出力する音の音量を決定する決定ステップと、
前記決定ステップにて決定した音量で音を出力するように、前記出力手段を制御する制御ステップとを含む各ステップをコンピュータに実行させるための音出力プログラムを記録した、コンピュータ読取り可能な記録媒体。
【発明の詳細な説明】
【技術分野】
【０００１】
本発明は、音出力装置、音出力方法、音出力プログラム、および音出力プログラムを記録したコンピュータ読取り可能な記録媒体に関し、特に、音量を操作する音出力装置、音出力方法、音出力プログラム、および音出力プログラムを記録したコンピュータ読取り可能な記録媒体に関する。
【背景技術】
【０００２】
特許文献１は、映像信号の検波や増幅などを行なう映像増幅部と、ブラウン管と、テレビ音声信号の検波や増幅などを行なう音声増幅部と、テレビ音声を出力するスピーカとからなるテレビ受像装置に、電話回線により送受信される音声信号の増幅を行なう電話増幅部と、着信呼出し信号などのデータ信号を処理するマイクロコンピュータと、マイクロホンおよびスピーカなどなどからなる通話装置を備えた構成を有し、外線や内線からの呼出しがあると、マイクロコンピュータから音声増幅部に消音信号を出力し、テレビ音声を自動的に消音させる電話機能付テレビ受像器を開示する。
【０００３】
特許文献１に開示された発明によると、テレビ受像機を動作させているときに外線や内線から呼出しがかかっても、着信音をはっきり聞こえさせることができる。
【０００４】
特許文献２は、同種類の出力を有する少なくとも２つの機器と、各機器と通信可能な制御サーバとを含む機器操作システムを開示する。各機器は、自機の出力状態に変化があることを示す通知信号を制御サーバへ送信する通信部を備える。制御サーバは、ある機器の出力状態と、当該機器が当該出力状態である場合において他の機器がとるべき出力状態とを対応付けた制御ルールを格納する制御ルール格納部と、各機器の設置位置に関連して設定される位置情報を取得する取得部と、各機器のいずれかから通知信号を受信したことに応じて、当該通知信号を送信した機器以外の機器である対象機器がとるべき出力状態を制御ルールおよび位置情報に基づいて決定する決定部と、決定部によって決定された出力状態となるように対象機器を操作する操作部とを備える。
【０００５】
特許文献２に開示された発明によると、同種の機器が複数設置される場合において、ユーザに余計な操作を行なわせることなく機器間の動作を調整することができる。
【特許文献１】特開平２−１０９６９号公報
【特許文献２】特開２００４−２３６２９６号公報
【発明の開示】
【発明が解決しようとする課題】
【０００６】
しかし、特許文献１および特許文献２に開示された発明では、特定の機器の存在を想定した環境でなければ、ユーザに音をよく聞かせることが難しいという問題点がある。現実に人間が生活する環境には、テレビや冷蔵庫その他の家電、インターホン、ガス警報機、パソコン、携帯電話、カーステレオ、ＥＴＣ（Electronic Toll Collection）装置、あるいはカーナビゲーションシステムなど、多くの音源がある。これらの音源は、ある特定の空間において、人間の意志に従って設置される。これらの音源の、追加、削除、あるいは移動のタイミングに制約は設けられていない。音源の設置などが制限されていない環境の下では、今後発生する音源との連携が困難である。特許文献２に開示された発明のように、サーバ装置に各機器の情報を集め、サーバ装置が機器を連携させるシステムであれば、今後発生する音源との連携は可能である。しかし、サーバ装置が機器を連携させる場合、サーバ装置が予めその場に設置されていること、および音源がサーバの制御に従うことが前提となる。家電その他長期にわたり利用される機器が多い環境の下では、サーバに機器を連携させることが困難になる可能性がある。各機器の仕様が大きく変化すると予想されるためである。
【０００７】
本発明は上述の問題点を解決するためになされたものであって、その目的は、環境の制約をあまり受けずに、ユーザに音をよく聞かせることができる音出力装置、音出力方法、音出力プログラム、および音出力プログラムを記録したコンピュータ読取り可能な記録媒体を提供することにある。
【課題を解決するための手段】
【０００８】
上記目的を達成するために、本発明のある局面にしたがうと、音出力装置は、出力手段と、受信手段と、記憶手段と、判定手段と、決定手段と、制御手段とを含む。出力手段は、音を出力する。受信手段は、出力手段とは異なる音源の音量を表わす情報、音源の位置を表わす情報、およびユーザがいる位置を表わす情報を受信する。記憶手段は、出力手段の位置と音量と音源の位置とを記憶する。判定手段は、音が生じる位置からユーザがいる位置までの距離と音が生じる位置での音量とに対応するよう、音源および出力手段について、ユーザがいる位置における音量の範囲であるレベルを判定する。決定手段は、受信手段が受信した情報が表わす関係と、音源が出力する音のレベルに対する出力手段が出力する音のレベルの関係とが対応するように、出力手段が出力する音の音量を決定する。制御手段は、決定手段が決定した音量で音を出力するように、出力手段を制御する。
【０００９】
また、上述の受信手段は、音源の優先度を表わす情報の他に、音量を表わす情報、音源の位置を表わす情報、およびユーザがいる位置を表わす情報を受信するための手段を含むことが望ましい。あわせて、記憶手段は、音源の優先度と共に、出力手段の位置と音量と音源の位置とを記憶するための手段を含むことが望ましい。あわせて、決定手段は、優先度の高さが閾値を越えるか否かと、音源のレベルに対する出力手段のレベルの関係とが対応するように、出力手段が出力する音の音量を決定するための手段を含むことが望ましい。
【００１０】
もしくは、上述の音量を決定するための手段は、優先度の高さが閾値を越える音源のレベルが、出力手段のレベル以上となるように、出力手段が出力する音の音量を決定するための手段を含むことが望ましい。
【００１１】
もしくは、上述の決定手段は、出力手段の位置からユーザがいる位置までの距離と、音源のレベルに対する出力手段のレベルの関係とが対応するように、出力手段が出力する音の音量を決定するための手段を含むことが望ましい。
【００１２】
また、上述の記憶手段は、同一の音源についての、受信手段が受信した情報が表わす音源の位置と記憶済みの情報が表わす音源の位置とが異なる場合、受信手段が受信した情報を記憶するための手段を含むことが望ましい。
【００１３】
本発明の他の局面にしたがうと、音出力方法は、出力ステップと、受信ステップと、記憶ステップと、判定ステップと、決定ステップと、制御ステップとを含む。出力ステップは、音を出力するための出力手段が音を出力する。受信ステップは、出力手段とは異なる音源の音量を表わす情報、音源の位置を表わす情報、およびユーザがいる位置を表わす情報を受信する。記憶ステップは、出力手段の位置と音量と音源の位置とを記憶する。判定ステップは、音が生じる位置からユーザがいる位置までの距離と音が生じる位置での音量とに対応するよう、音源および出力手段について、ユーザがいる位置における音量の範囲であるレベルを判定する。決定ステップは、受信ステップにて受信した情報が表わす関係と、音源が出力する音のレベルに対する出力手段が出力する音のレベルの関係とが対応するように、出力手段が出力する音の音量を決定する。制御ステップは、決定ステップにて決定した音量で音を出力するように、出力手段を制御する。
【００１４】
本発明の他の局面にしたがうと、音出力プログラムは、出力ステップと、受信ステップと、記憶ステップと、判定ステップと、決定ステップと、制御ステップとを含む各ステップをコンピュータに実行させる。出力ステップは、音を出力するためのコンピュータの出力手段が音を出力する。受信ステップは、出力手段とは異なる音源の音量を表わす情報、音源の位置を表わす情報、およびユーザがいる位置を表わす情報を受信する。記憶ステップは、出力手段の位置と音量と音源の位置とを記憶する。判定ステップは、音が生じる位置からユーザがいる位置までの距離と音が生じる位置での音量とに対応するよう、音源および出力手段について、ユーザがいる位置における音量の範囲であるレベルを判定する。決定ステップは、受信ステップにて受信した情報が表わす関係と、音源が出力する音のレベルに対する出力手段が出力する音のレベルの関係とが対応するように、出力手段が出力する音の音量を決定する。制御ステップは、決定ステップにて決定した音量で音を出力するように、出力手段を制御する。
【００１５】
本発明の他の局面にしたがうと、記録媒体は、音出力プログラムを記録した、コンピュータ読取り可能な記録媒体である。音出力プログラムは、出力ステップと、受信ステップと、記憶ステップと、判定ステップと、決定ステップと、制御ステップとを含む各ステップをコンピュータに実行させる。出力ステップは、音を出力するためのコンピュータの出力手段が音を出力する。受信ステップは、出力手段とは異なる音源の音量を表わす情報、音源の位置を表わす情報、およびユーザがいる位置を表わす情報を受信する。記憶ステップは、出力手段の位置と音量と音源の位置とを記憶する。判定ステップは、音が生じる位置からユーザがいる位置までの距離と音が生じる位置での音量とに対応するよう、音源および出力手段について、ユーザがいる位置における音量の範囲であるレベルを判定する。決定ステップは、受信ステップにて受信した情報が表わす関係と、音源が出力する音のレベルに対する出力手段が出力する音のレベルの関係とが対応するように、出力手段が出力する音の音量を決定する。制御ステップは、決定ステップにて決定した音量で音を出力するように、出力手段を制御する。
【発明の効果】
【００１６】
本発明に係る音出力装置、音出力方法、音出力プログラム、および音出力プログラムを記録したコンピュータ読取り可能な記録媒体は、環境の制約をあまり受けずに、ユーザに音をよく聞かせることができる。
【発明を実施するための最良の形態】
【００１７】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１８】
＜第１の実施の形態＞
以下、本発明の第１の実施の形態に係る機器の動作について説明する。
【００１９】
図１を参照して、本実施の形態に係る音響システムは、カーペット１００と、テレビ１０２と、ガス警報器１０４とを含む。カーペット１００、テレビ１０２、およびガス警報器１０４は、１０ｍ四方の部屋に設置されている。カーペット１００は、敷物であり、かつユーザ１０６の位置を検出する機器である。テレビ１０２は、ユーザ１０６に対し映像および音声を提供する機器である。ガス警報器１０４は、ガス漏れを検知すると、ガス漏れが生じたことをユーザ１０６に報知する機器である。本実施の形態において、カーペット１００は第１種機器の一種である。本実施の形態においてテレビ１０２およびガス警報器１０４は第２種機器の一種である。
【００２０】
図２を参照して、第１種機器は、取得装置１１０と、検知モジュール１１２と、通信装置１１４と、登録装置１１６と、記憶装置１１８とを含む。取得装置１１０は、自らの位置の情報を取得する装置である。本実施の形態の場合、取得装置１１０は、ディップスイッチを含む。取得装置１１０は、ユーザが行なったディップスイッチの設定を検出することにより、自らの位置の情報を取得する。なお、取得装置１１０は、無線タグにより自らの位置を取得してもよい。
【００２１】
検知モジュール１１２は、ユーザ１０６の位置を検知するモジュールである。カーペット１００の検知モジュール１１２は、カーペット１００の内部に張り巡らされた圧力センサを含む、カーペット１００の検知モジュール１１２は、どの圧力センサが圧力を検知したかに基づき、ユーザ１０６の位置を検知する。
【００２２】
通信装置１１４は、同期データベース（同期データベースについては後述する）の内容を同期させるため、他の第１種機器や第２種機器と通信する装置である。もし、他の第１種機器や第２種機器との通信が途絶えているならば、同期データベースの内容は、通信が途絶えたときの内容のまま保持される。
【００２３】
登録装置１１６は、取得装置１１０、検知モジュール１１２、および通信装置１１４が取得した情報を、記憶装置１１８の同期データベースに登録する装置である。本実施の形態の場合、登録装置１１６は、音が発生したり、音量が変化したり、新たに第１種機器または第２種機器が通信を開始したとき、情報を同期データベースに登録する。併せて、登録装置１１６は、所定の周期（本実施の形態の場合１秒）ごとに取得装置１１０、検知モジュール１１２、および通信装置１１４が取得した情報を登録する装置でもある。
【００２４】
記憶装置１１８は、同期データベースを記憶する。図３は、本実施の形態に置ける同期データベースの構造を表わす図である。同期データベースは、機器についてのデータベースと、人についてのデータベースとを含む。機器についてのデータベースは、機器名と、Ｘ座標と、Ｙ座標と、音量（設定）と、優先度とを含む。「機器名」は、各機器を識別するための情報である。「Ｘ座標」は、各機器の位置をＸＹ座標で表わした場合の、Ｘ座標の値である。「Ｙ座標」は、各機器の位置をＸＹ座標で表わした場合のＹ座標の値である。「音量（設定）」は後述する制御モジュール１２０が決定した音量を表わす。「優先度」は音響システムを構成する各機器の間での優先度を表わす。本実施の形態の場合、機器についての情報は、いずれも第２種機器についての情報である。人についての情報は、Ｘ座標とＹ座標とを含む。「Ｘ座標」は、人（図１の場合ユーザ１０６）がいる位置をＸＹ座標で表わした場合のＸ座標の値を表わす。「Ｙ座標」は、人がいる位置をＸＹ座標で表わした場合のＹ座標を表わす。なお、本実施の形態の場合、図１に示した領域の左上を（０，０）とする。図１に示した領域の右下を（１０，１０）とする。
【００２５】
図４を参照して、第２種機器は、取得装置１１０と、通信装置１１４と、登録装置１２２と、記憶装置１１８と、制御モジュール１２０と、実行回路１２４と、出力装置１２６とを含む。
【００２６】
制御モジュール１２０は、ユーザの操作に応じて、音量を設定する。テレビ１０２の場合、前面パネルの音量を調整するボタンやそのボタンの操作に応じて音量を設定するモジュールが制御モジュール１２０に当る。制御モジュール１２０は、優先度を設定するモジュールでもある。
【００２７】
登録装置１２２は、取得装置１１０、制御モジュール１２０、および通信装置１１４が取得した情報を、記憶装置１１８の同期データベースに登録する装置である。図５は、登録装置１２２が情報を登録するためのシーケンスを表わす図である。本実施の形態の場合、登録装置１２２は、音が発生したり、音量が変化したり、新たに第１種機器または第２種機器が通信を開始したとき、情報を同期データベースに登録する。併せて、登録装置１２２は、所定の周期（本実施の形態の場合１秒）ごとに取得装置１１０、制御モジュール１２０、および通信装置１１４が取得した情報を登録する装置でもある。
【００２８】
実行回路１２４は、記憶装置１１８の同期データベースの内容に基づいて、出力装置１２６が実際に出力する音の音量を制御する回路である。図６は、実行回路１２４が同期データベースの内容に基づき、音量を制御する動作を表わすシーケンス図である。本実施の形態の場合、実行回路１２４は、所定の周期（本実施の形態の場合１秒）で出力装置１２６を制御する。実行回路１２４は、後述する判定や算出などを実施する回路でもある。
【００２９】
出力装置１２６は、実行回路１２４の制御に応じて、実際に音を出力する装置である。出力装置１２６は、スピーカを含む。
【００３０】
なお、その他のハードウェア構成については前述の第１種機器と同じである。それらの機能も同じである。したがって、それらについての詳細な説明はここでは繰返さない。
【００３１】
本実施の形態に係る第１種機器および第２種機器は、図７に示すコンピュータハードウェアと各機器に固有の機能を果たすための図示しない装置などによって実現される。図７に示すコンピュータハードウェアは、ＣＰＵ（Central Processing Unit）１３０と、ＲＯＭ（Read Only Memory）１３２と、ＲＡＭ（Random Access Memory）１３４と、通信処理部１３６と、スピーカ１３８と、アンテナ１４０と、メモリカードリーダ１４２とを含む。
【００３２】
ＣＰＵ１３０は、プログラムを実行する。ＲＯＭ１３２は、各機器に固有の機能を実現するためのプログラムを記憶する。ＲＡＭ１３４は、ＣＰＵ１３０がプログラムを実行するために必要なデータを一時的に記憶する。通信処理部１３６は、アンテナ１４０を用いて、他のコンピュータハードウェアとの間で通信する。スピーカ１３８は、音を出力する。スピーカ１３８は、図７に示すコンピュータハードウェアの、音を出力するための装置である。アンテナ１４０は、電波を出力し、かつ電波を電気信号に変換する。メモリカードリーダ１４２は、メモリカード１５０が記憶した情報を読出す。
【００３３】
本実施の形態に係る音響システムを構成する各機器は、図７に示したコンピュータハードウェアとＣＰＵ１３０により実行されるソフトウェアとにより実現される。特に、後述する制御はいずれも図７に示したコンピュータハードウェアとＣＰＵ１３０により実行されるソフトウェアとにより実現される。一般的にこうしたソフトウェアは、メモリカード１５０などの記録媒体に格納されて流通し、メモリカードリーダ１４２などにより記録媒体から読取られてＲＡＭ１３４に一旦格納される。さらに上述したＣＰＵ１３０により実行される。上述したコンピュータのハードウェア自体は一般的なものである。したがって、本発明の最も本質的な部分は、メモリカード１５０などの記録媒体に記録されたソフトウェアである。
【００３４】
図８を参照して、第２種機器で実行されるプログラムは、同期データベースの更新に関し、以下のような制御を実行する。
【００３５】
ステップ２００（以下、ステップをＳと略す。）にて、通信装置１１４は、他の第１種機器および第２種機器（すなわち出力装置１２６とは異なる音源）と通信する。通信される情報には、それら音源の優先度を表わす情報の他に、それら音源の音量を表わす情報、それら音源の位置を表わす情報、およびユーザがいる位置を表わす情報が含まれる。
【００３６】
Ｓ２０２にて、登録装置１２２は、受信した情報を記憶装置１１８の同期データベースに登録する。これにより、同期データベースが更新される。
【００３７】
Ｓ２０４にて、登録装置１２２は、同期データベースの更新を終了するか否かを判断する。更新を終了すると判断した場合（Ｓ２０４にてＹＥＳ）、処理は終了する。もしそうでないと（Ｓ２０４にてＮＯ）、処理はＳ２００へと移される。
【００３８】
図９を参照して、第２種機器で実行されるプログラムは、音量の調節に関し、以下のような制御を実行する。
【００３９】
Ｓ２１０にて、実行回路１２４は、記憶装置１１８の同期データベースの内容を読出す。内容が読出されると、実行回路１２４は、他の第２種機器の出力装置１２６から音が出ているか否かを判断する。この判断は、同期データベースのうち「音量（設定）」という情報に基づいて行なわれる。他の機器から音が出ている場合（Ｓ２１０にてＹＥＳ）、処理はＳ２１２へと移される。もしそうでないと（Ｓ２１０にてＮＯ）、処理はＳ２１０へと戻される。Ｓ２１２にて、実行回路１２４は、各機器の「レベル」を判定する。図１０を参照して、「レベル」について説明する。
【００４０】
一般に、音が発生している場合、発生源となる機器から離れるほど音は小さく聞こえる。理想的な場合、音量は音源からの距離の２乗に反比例して減衰する。本実施の形態の場合、音量に対応する３種類の閾値を予め定める。その閾値によって区切られる音量の範囲を、それぞれ「よく聞こえる」、「普通に聞こえる」、「かすかに聞こえる」、「聞こえない」と称する。本実施の形態の場合、ユーザがいる位置における音量の範囲を「レベル」と称する。本実施の形態に係る図において、音源を中心とする円は、レベルが等しい領域の境界線を表わす。音源を中心とする円のうち、実線で描かれた円が囲む領域は、レベルが「よく聞こえる」となる領域である。音源を中心とする円のうち、目の粗い破線で描かれた円が囲む領域は、レベルが「普通に聞こえる」となる領域である。音源を中心とする円のうち、目の細かい破線で描かれた円が囲む領域は、レベルが「かすかに聞こえる」となる領域である。レベルを決定するための閾値の求め方は、コンピュータハードウェアにより決定できるものであれば、特に制限されない。本実施の形態の場合、レベルの分布は、各機器を中心とする同心円によって表わされることとする。
【００４１】
Ｓ２１４にて、実行回路１２４は、音量を変えるか否かを判断する。本実施の形態の場合、実行回路１２４は、自分自身を除く第２種機器の音量と優先度とに基づいて、音量を変えるか否かを判断する。たとえば、図１１の場合、ガス警報器が発する音のレベルは図１１に示す人にとって「かすかに聞こえる」である。これに対し、テレビが発する音のレベルは「普通に聞こえる」である。このような場合、ガス警報器の優先度がテレビの優先度よりも高ければ、テレビからの音のレベルが「かすかに聞こえる」となるように、音量は変えられる。このことは、実行回路１２４が、次の要件を満たす場合、音量を変えることを意味する。その要件とは、実行回路１２４自身が含まれる第２種機器よりも優先度が高い第２種機器が音を出しており、人にとって、その第２種機器からのレベルが、実行回路１２４自身が含まれる第２種機器の出力装置１２６からのレベルよりも低いという要件である。図１１のような場合であれば、図１２のように、テレビの音量を下げることにより、どの機器が発する音のレベルも人にとって「かすかに聞こえる」に該当することとなる。音量を変える場合（Ｓ２１４にてＹＥＳ）、処理はＳ２１６へと移される。もしそうでないと（Ｓ２１４にてＮＯ）、処理はＳ２１０へと移される。
【００４２】
Ｓ２１６にて、実行回路１２４は目標となるレベルを決定する。実行回路１２４は、各機器の位置と音量と人の位置とに基づいて、各第２種機器の人に対するレベルを自ら算出した後、目標となるレベルを決定する。目標となるレベルは、自らが含まれる第２種機器よりも優先度が高い第２種機器のレベルが、自らが含まれる第２種機器のレベルよりも高くなるように、決定される。
【００４３】
Ｓ２１８にて、実行回路１２４は、自らがＳ２１６にて決定したレベルを逆算することにより、実際に出力装置１２６が出力する音量を算出する。これにより、実行回路１２４は、優先度の高さが閾値（第２種機器自身の優先度）を越えるか否かと、音源のレベルに対する出力装置１２６のレベルの関係とが対応するように、出力装置１２６が出力する音の音量を決定することとなる。本実施の形態の場合、実行回路１２４は、優先度の高さが閾値（第２種機器自身の優先度）を越える音源のレベルが、出力装置１２６のレベル以上となるように、出力装置１２６が出力する音の音量を決定することとなる。Ｓ２２０にて、実行回路１２４は、出力装置１２６を制御することにより、音量を変える。
【００４４】
Ｓ２２２にて、実行回路１２４は、音量の制御を終了するか否かを判断する。音量の制御を終了する場合（Ｓ２２２にてＹＥＳ）、処理は終了する。もしそうでないと（Ｓ２２２にてＮＯ）、処理はＳ２１０へと移される。
【００４５】
以上のような構造およびフローチャートに基づき、図１に示す音響システムにおいて、テレビ１０２より優先度が高いガス警報器１０４が鳴った場合に、ガス警報器１０４の警告音を聞こえやすくするための動作について説明する。以下の説明において、図１の人１０６は、テレビ１０２から出力されている音を聞いていることとする。
【００４６】
［同期データベースの更新について］
第２種機器であるテレビ１０２およびガス警報器１０４の通信装置１１４は、それぞれ出力装置１２６とは異なる音源の優先度を表わす情報の他に、それら音源の音量を表わす情報、音源の位置を表わす情報、およびユーザがいる位置を表わす情報を通信する（Ｓ２００）。優先度などが通信されると、登録装置１２２は、受信した情報を記憶装置１１８の同期データベースに登録する（Ｓ２０２）。
【００４７】
図１３は、情報が登録された後の同期データベースの内容と実際に各機器が出力している音の音量（図１３の場合「音量（出力）」）とを表わす図である。仮に、第２種機器の台数もっと多ければ、図１３に示す同期データベースには、各音源の優先度と共に、出力装置１２６の位置と各音源の音量と各音源の位置とが含まれる。これにより、記憶装置１１８は、各音源の優先度と共に、出力装置１２６の位置と各音源の音量と各音源の位置とを記憶することとなる。図１４は、テレビ１０２およびガス警報器１０４の状況を表わす概念図である。テレビ１０２のみが音を出力している（なお、この場合、「かすかに聞こえる」というレベルに該当する範囲が極めて広いので、「かすかに聞こえる」というレベルの境界線は省略している）。
【００４８】
受信した情報が登録されると、登録装置１２２は、同期データベースの更新を終了するか否かを判断する（Ｓ２０４）。本実施の形態の場合、例えば通信が遮断されるといった事情がない限り更新は終了しないので（Ｓ２０４にてＮＯ）、Ｓ２００〜Ｓ２０４の処理が繰返される。
【００４９】
［音量の調節について］
Ｓ２００〜Ｓ２０４の処理からは独立して、テレビ１０２の実行回路１２４は、他の機器から音が出ているか否かを判断する（Ｓ２１０）。図１３に示すとおり、ガス警報器１０４は音を出していないので（Ｓ２１０にてＮＯ）、Ｓ２１０の処理が繰返される。
【００５０】
その後、ガス警報器１０４がガスを検出したとする。ガス警報器１０４の出力装置１２６は音を出力する。音が出力された後、Ｓ２１０の処理を経て、テレビ１０２の実行回路１２４は、他の機器から音が出ているか否かを判断する（Ｓ２１０）。図１５は、このときの同期データベースの内容を表わす図である。図１５から明らかなように、この場合、ガス警報器１０４から音が出ているので（Ｓ２１０にてＹＥＳ）、テレビ１０２の実行回路１２４は、各機器のレベルを判定する（Ｓ２１２）。図１６は、判定された各機器のレベルを図示したものである。本実施の形態の場合、実行回路１２４は、音が生じる位置からユーザがいる位置までの距離と音が生じる位置での音量とに対応するよう、各音源および出力装置１２６について、ユーザがいる位置における音量の範囲であるレベルを判定する。
【００５１】
レベルが判定されると、テレビ１０２の実行回路１２４は、音量を変えるか否かを判断する（Ｓ２１４）。図１６から明らかなように、ユーザ１０６に対するガス警報器１０４のレベルは「かすかに聞こえる」である。ユーザ１０６に対するテレビ１０２のレベルは「普通に聞こえる」である。このように、優先度が高い機器のレベルが優先度の低い機器のレベルより低くなっていると、テレビ１０２の実行回路１２４は音量を変えると判断するので（Ｓ２１４にてＹＥＳ）、テレビ１０２の実行回路１２４は、目標とするレベルを決定する（Ｓ２１６）。この場合、ガス警報器１０４のレベルが「かすかに聞こえる」なので、実行回路１２４は、テレビ１０２のレベルも「かすかに聞こえる」にすることとする。レベルが決定されると、テレビ１０２の実行回路１２４は、決定されたレベルに基づき、音量を算出する（Ｓ２１８）。Ｓ２１４〜Ｓ２１８の処理により、テレビ１０２の実行回路１２４は、次の要件を満たすように、テレビ１０２の出力装置１２６が出力する音の音量を決定することとなる。「次の要件」とは、テレビ１０２の通信装置１１４が受信した情報が表わす関係と、各音源が出力する音のレベルに対するテレビ１０２の出力装置１２６が出力する音のレベルの関係とが対応するという要件である。音量が算出されると、テレビ１０２の実行回路１２４は、テレビ１０２の出力装置１２６の音量を変える（Ｓ２２０）。このとき、テレビ１０２の出力装置１２６は、音を出力している。テレビ１０２の実行回路１２４は、自らが決定した音量で音を出力するように、テレビ１０２の出力装置１２６を制御している。音量が変えられると、実行回路１２４は、終了するか否かを判断する（Ｓ２２２）。この場合、処理を終了するので（Ｓ２２２にてＹＥＳ）、処理は終了する。
【００５２】
図１７は、音量を変えた後の同期データベースの内容を表わす図である。図１８は、音量を変えた後の各機器のレベルを図示したものである。
【００５３】
以上のようにして、本実施の形態に係る音出力装置（テレビおよびガス警報器）は、周囲の機器の音量とユーザの位置とに応じて出力する音量を制御する（複数の音が出力されたときに音の出力順を制御する）。音量が制御されるので、環境の制約をあまり受けずに、ユーザに音をよく聞かせることができる。その結果、環境の制約をあまり受けずに、ユーザに音をよく聞かせることができる音出力装置を提供することができる。
【００５４】
また、本実施の形態に係る音出力装置は、同期データベースの更新と、同期データベースに基づく音量の制御とを、独立して実施する。同期データベースの更新と音量の制御とが独立して実施されるので、同期データベースを更新するための通信ができない状態であっても、その更新が可能であった時点の同期データベースの内容に基づき、環境の制約をあまり受けずに、ユーザに音をよく聞かせることができる。
【００５５】
また、本実施の形態に係る音出力プログラムは、コンピュータにダウンロードされることにより、環境の制約をあまり受けずに、ユーザに音をよく聞かせることができる。
【００５６】
なお、変形例として、記憶装置１１８は、同一の音源についての、通信装置１１４が受信した情報が表わす音源の位置と記憶済みの情報が表わす音源の位置とが異なる場合、通信装置が受信した情報を記憶してもよい。
【００５７】
また、変形例として、第１種機器は、カーペット１００に代え、室内に設けられた赤外線センサや無線タグやＧＰＳ（Global Positioning System）受信機やこれらの機器と加速度センサとを複合させた機器などてあってもよい。
【００５８】
＜第２の実施の形態＞
以下、本発明の第２の実施の形態に係る音響システム（テレビの近くにいた人が、別のスピーカに近づくと、テレビから出力されていた音がスピーカから出力されるよう制御する、音響システム）について説明する。
【００５９】
本実施の形態に係る音響システムを構成する各機器のハードウェア構成については前述の第１の実施の形態と同じである。それらについての説明も同じである。したがって、それらについての詳細な説明はここでは繰返さない。
【００６０】
図１９を参照して、第２種機器で実行されるプログラムは、音量の調節に関し、以下のような制御を実行する。なお、図１９に示した各ステップの中で、前述の図８に示した処理については同じステップ番号を付してある。その説明も同じである。したがって、ここではそれらについての詳細な説明は繰返さない。
【００６１】
Ｓ２３０にて、実行回路１２４は、同期データベースの内容を参照することにより、ユーザが移動したか否かを判断する。ユーザが移動したと判断した場合（Ｓ２３０にてＹＥＳ）、処理はＳ２１２へと移される。もしそうでないと（Ｓ２３０にてＮＯ）、処理はＳ２３０へと戻される。
【００６２】
Ｓ２３２にて、実行回路１２４は、音量を変えるか否かを判断する。本実施の形態の場合、実行回路１２４は、ユーザからの距離に基づき、音量を変えるか否かを判断する。音量を変える場合（Ｓ２３２にてＹＥＳ）、処理はＳ２３４へと移される。もしそうでないと（Ｓ２３２にてＮＯ）、処理はＳ２３０へと移される。Ｓ２３４にて、実行回路１２４は、目標とするレベルを決定する。
【００６３】
以上のような構造およびフローチャートに基づく、テレビ１６０の動作について説明する。
【００６４】
［同期データベースの更新について］
テレビ１６０は、Ｓ２００〜２０４の処理を繰返す。図２０は、ユーザ１０６がテレビ１６０の側に居続けている間のテレビ１６０とスピーカＡ１６２とスピーカＢ１６４との動作の状況を表わす図である。図２１は、この間の同期データベースの内容を表わす図である。
【００６５】
その後、ユーザ１０６が別な位置に移動したこととする。各機器は、移動後のユーザ１０６の位置を互いに通信する（Ｓ２００）。図２２は、ユーザ１０６が移動したことを表わす図である。図２３は、その後各機器が情報を通信した後の同期データベースの内容を表わす図である。各機器のＸＹ位置は移動していないが、ユーザ１０６のＸ座標とＹ座標とは、図２１の内容と異なる。その後、引続きＳ２００〜２０４の処理が繰返される。
【００６６】
［音量の調節について］
実行回路１２４は、同期データベースの内容を参照することにより、ユーザが移動したか否かを判断する（Ｓ２３０）。当初、ユーザは移動しないので（Ｓ２３０にてＮＯ）、Ｓ２３０の処理が繰返される。
【００６７】
その後、ユーザ１０６が別な位置に移動すると（Ｓ２３０にてＹＥＳ）、Ｓ２１２の処理を経て、テレビ１６０の実行回路１２４は、音量を変えるか否かを判断する（Ｓ２３２）。図２４は、同じ音量で音を出力した場合の、各機器のレベルを表わす図である。この場合、ユーザ１０６はスピーカＢ１６４に最も近い位置にいる。図２４によれば、同じ音量の音を出力した場合、ユーザ１０６にはスピーカＢ１６４からの音が最もよく聞こえるはずである。このため、テレビ１６０の実行回路１２４は音量を変えると判断するので（Ｓ２３２にてＹＥＳ）、テレビ１６０の実行回路１２４は、目標とするレベルを決定する（Ｓ２３４）。目標とするレベルが決定されると、Ｓ２１８の処理を経て、実行回路１２４は、音量を変える（Ｓ２２０）。Ｓ２３０〜Ｓ２２０の処理により、テレビ１６０の実行回路１２４は、テレビ１６０の出力装置１２６の位置からユーザがいる位置までの距離と、音源のレベルに対するテレビ１６０の出力装置１２６のレベルの関係とが対応するように、テレビ１６０の出力装置１２６が出力する音の音量を決定することとなる。
【００６８】
図２５は、ユーザ１０６がスピーカＢ１６４からの音を聞いているときの動作の状況を表わす概念図である。図２６は、このとき各機器の記憶装置１１８に記憶された同期データベースの内容などを表わす図である。
【００６９】
以上のようにして、本実施の形態に係る音響システムは、聞き手が移動した場合でも、移動した聞き手に音が聞こえやすいように周囲の複数の機器間で音量を調整する。あわせて、本実施の形態に係る音響システムは、ある音源から聞き手が離れたときに、聞こえにくい範囲に達すると自動的に音量を低下あるいは消音させ、電力消費量を削減する。その結果、環境の制約をあまり受けずに、ユーザに音をよく聞かせることができ、かつ電力消費量を削減できる音響システムを提供することができる。
【００７０】
＜第３の実施の形態＞
以下、本発明の第３の実施の形態に係る音響システムについて説明する。
【００７１】
本実施の形態の場合、ユーザは、自家用車１７０の車内にて、大音量でカーステレオを聞いている。その間に救急車１７２が近づくと、カーステレオの音量は下がる。これにより、運転者は状況をよく認知することができる。
【００７２】
本実施の形態に係る音響システムのハードウェア構成および処理フローについては前述の第１の実施の形態と同じである。それらについての機能も同じである。したがって、それらについての詳細な説明はここでは繰返さない。
【００７３】
図２７は、本実施の形態に係る音響システムの動作の状況を表わす図である。この時点では、運転者は自家用車１７０の車内で大音量でカーステレオを聞いている。図２８は、この時点の同期データベースの内容などを表わす図である。
【００７４】
その後、救急車１７２が近づいてきたとする。図２９は、救急車１７２が近づいてくる状況を表す図である。カーステレオと救急車１７２とは互いに優先度などを通信する（Ｓ２００）。図３０は、救急車１７２が近づいて来た時点の同期データベースの内容などを表わす図である。優先度などが通信された後、引続きＳ２００〜２０４の処理が繰返される。
【００７５】
Ｓ２００〜２０４の処理が繰返されている間、カーステレオの実行回路１２４は他の機器から音が出ているか否かを判断する（Ｓ２１０）。音が出ていると判断された場合（Ｓ２１０にてＹＥＳ）、カーステレオの実行回路１２４は、各機器のレベルを判定する（Ｓ２１２）。図２９から明らかなように、車内の運転者にとって、カーステレオの音のレベルは「よく聞こえる」である。救急車１７２のサイレン音のレベルは「かすかに聞こえる」である。レベルが算出されると、カーステレオの実行回路１２４は、音量を変えるか否かを判断する（Ｓ２１４）。この場合、救急車１７２の優先度が高くかつ運転者にとってのレベルが低いことに基づき、カーステレオの実行回路１２４は音量を変えると判断するので（Ｓ２１４にてＹＥＳ）、カーステレオは目標となるレベルを決定する（Ｓ２１６）。レベルが決定されると、実行回路１２４は、音量を算出する（Ｓ２１８）。音量が算出されると、実行回路１２４は、出力装置１２６の音量を制御する（Ｓ２２０）。その間にも、救急車１７２は自家用車１７０に向かって近づいてくる。図３１はこの状況を表わす図である。カーステレオの通信装置１１４と救急車１７２の通信装置１１４とは優先度などを通信している（Ｓ２００）。図３２は図３１に示した状況における同期データベースの内容を表わす図である。Ｓ２１０〜Ｓ２２２の処理により、カーステレオの音量は「５０」になっている。
【００７６】
その後、Ｓ２００〜Ｓ２２２の処理を経る間に、救急車１７２は自家用車１７０とすれ違う。図３３はこの状況を表わす図である。図３４は図３３に示した状況における同期データベースの内容を表わす図である。Ｓ２１０〜Ｓ２２２の処理により、カーステレオの音量は「０」になっている。
【００７７】
その後、Ｓ２００〜Ｓ２２２の処理を経る間に、救急車１７２は次第に車から離れていく。図３５はこの状況を表わす図である。図３６は図３５に示した状況における同期データベースの内容を表わす図である。この場合、Ｓ２１０〜Ｓ２２２の処理により、カーステレオの音量は「５０」に戻っている。
【００７８】
その後、Ｓ２００〜Ｓ２２２の処理を経る間に、救急車１７２はさらに車から離れる。図３７はこの状況を表わす図である。図３８は図３７に示した状況における同期データベースの内容を表わす図である。カーステレオの音量は救急車１７２が近づく前の音量に戻っている。
【００７９】
以上のようにして、本実施の形態に係る音響システムは、緊急度の高い音を優先的に出力する。緊急度の高い音が優先的に出力されるので、緊急度の高い音の音源（本実施の形態の場合には救急車）が近づけば近づくほど、カーステレオの音量が下がる。カーステレオの音量が下がると、救急車のサイレンが運転者によく聞こえる。救急車のサイレンが運転者によく聞こえるので、運転者の危険認識の力は上昇する。その結果、環境の制約をあまり受けずに、ユーザに音をよく聞かせることができる音響システムを提供することができる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８１】
【図１】本発明の第１の実施の形態に係る音響システムの配置を表わす図である。
【図２】本発明の第１の実施の形態に係る第１種機器の制御ブロック図である。
【図３】本発明の第１の実施の形態に係る同期データベースの内容を表わす図である。
【図４】本発明の第１の実施の形態に係る第２種機器の制御ブロック図である。
【図５】本発明の第１の実施の形態に係る登録装置のシーケンス図である。
【図６】本発明の第１の実施の形態に係る実行回路のシーケンス図である。
【図７】本発明の第１の実施の形態に係る機器を実現するためのコンピュータハードウェアの制御ブロック図である。
【図８】本発明の第１の実施の形態に係る同期データベースの更新処理の制御の手順を表わすフローチャートである。
【図９】本発明の第１の実施の形態に係る調節処理の制御の手順を表わすフローチャートである。
【図１０】本発明の第１の実施の形態に係るレベルを表わす概念図である。
【図１１】本発明の第１の実施の形態に係る音の聞こえにくさを表わす図である。
【図１２】本発明の第１の実施の形態に係る音の聞こえやすさを表わす概念図である。
【図１３】本発明の第１の実施の形態に係る同期データベースの内容を表わす図（その１）である。
【図１４】本発明の第１の実施の形態に係る音響システムの動作の状況を表わす図（その１）である。
【図１５】本発明の第１の実施の形態に係る同期データベースの内容を表わす図（その２）である。
【図１６】本発明の第１の実施の形態に係る音響システムの動作の状況を表わす図（その２）である。
【図１７】本発明の第１の実施の形態に係る同期データベースの内容を表わす図（その３）である。
【図１８】本発明の第１の実施の形態に係る音響システムの動作の状況を表わす図（その３）である。
【図１９】本発明の第２の実施の形態に係る調節処理の制御の手順を表わすフローチャートである。
【図２０】本発明の第２の実施の形態に係る音響システムの動作の状況を表わす図（その１）である。
【図２１】本発明の第２の実施の形態に係る同期データベースの内容を表わす図（その１）である。
【図２２】本発明の第２の実施の形態に係るユーザが移動したことを表わす図である。
【図２３】本発明の第２の実施の形態に係る同期データベースの内容を表わす図（その２）である。
【図２４】本発明の第２の実施の形態に係る各機器のレベルを表わす図である。
【図２５】本発明の第２の実施の形態に係る音響システムの動作の状況を表わす図（その２）である。
【図２６】本発明の第２の実施の形態に係る同期データベースの内容を表わす図（その３）である。
【図２７】本発明の第３の実施の形態に係る音響システムの動作の状況を表わす図（その１）である。
【図２８】本発明の第３の実施の形態に係る同期データベースの内容を表わす図（その１）である。
【図２９】本発明の第３の実施の形態に係る音響システムの動作の状況を表わす図（その２）である。
【図３０】本発明の第３の実施の形態に係る同期データベースの内容を表わす図（その２）である。
【図３１】本発明の第３の実施の形態に係る音響システムの動作の状況を表わす図（その３）である。
【図３２】本発明の第３の実施の形態に係る同期データベースの内容を表わす図（その３）である。
【図３３】本発明の第３の実施の形態に係る音響システムの動作の状況を表わす図（その４）である。
【図３４】本発明の第３の実施の形態に係る同期データベースの内容を表わす図（その４）である。
【図３５】本発明の第３の実施の形態に係る音響システムの動作の状況を表わす図（その５）である。
【図３６】本発明の第３の実施の形態に係る同期データベースの内容を表わす図（その５）である。
【図３７】本発明の第３の実施の形態に係る音響システムの動作の状況を表わす図（その６）である。
【図３８】本発明の第３の実施の形態に係る同期データベースの内容を表わす図（その６）である。
【符号の説明】
【００８２】
１００  カーペット、１０２，１６０  テレビ、１０４  ガス警報器、１１０  取得装置、１１２  検知モジュール、１１４  通信装置、１１６，１２２  登録装置、１１８  記憶装置、１２０  制御モジュール、１２４  実行回路、１２６  出力装置、１３０  ＣＰＵ、１３２  ＲＯＭ、１３４  ＲＡＭ、１３６  通信処理部、１３８  スピーカ、１４０  アンテナ、１４２  メモリカードリーダ、１５０  メモリカード、１６２  スピーカＡ、１６４  スピーカＢ、１７０  自家用車、１７２  救急車。
【図１】
2007074551.tif 000003
【図２】
2007074551.tif 000004
【図３】
2007074551.tif 000005
【図４】
2007074551.tif 000006
【図５】
2007074551.tif 000007
【図６】
2007074551.tif 000008
【図７】
2007074551.tif 000009
【図８】
2007074551.tif 000010
【図９】
2007074551.tif 000011
【図１０】
2007074551.tif 000012
【図１１】
2007074551.tif 000013
【図１２】
2007074551.tif 000014
【図１３】
2007074551.tif 000015
【図１４】
2007074551.tif 000016
【図１５】
2007074551.tif 000017
【図１６】
2007074551.tif 000018
【図１７】
2007074551.tif 000019
【図１８】
2007074551.tif 000020
【図１９】
2007074551.tif 000021
【図２０】
2007074551.tif 000022
【図２１】
2007074551.tif 000023
【図２２】
2007074551.tif 000024
【図２３】
2007074551.tif 000025
【図２４】
2007074551.tif 000026
【図２５】
2007074551.tif 000027
【図２６】
2007074551.tif 000028
【図２７】
2007074551.tif 000029
【図２８】
2007074551.tif 000030
【図２９】
2007074551.tif 000031
【図３０】
2007074551.tif 000032
【図３１】
2007074551.tif 000033
【図３２】
2007074551.tif 000034
【図３３】
2007074551.tif 000035
【図３４】
2007074551.tif 000036
【図３５】
2007074551.tif 000037
【図３６】
2007074551.tif 000038
【図３７】
2007074551.tif 000039
【図３８】
2007074551.tif 000040